(57)【要約】【課題】  球皿に貯留された遊技球を整流装置内に残すことなくスムーズに外部へ抜き出すことができる弾球遊技機の整流装置を提供する。【解決手段】  本発明に係る弾球遊技機の整流装置５０は、連通口８３を閉鎖する連通口閉鎖位置と、連通口８３を開放する連通口開放位置とに選択的に変位可能な球抜き部材９０と、球供給通路８１の終端部に達した遊技球を１球ずつ遊技球発射装置に供給する遊技球供給装置１００とを備え、遊技球供給装置１００は、球出口８４を閉鎖する球出口閉鎖位置と、球出口８４を開放して球供給通路８１の終端部に達した遊技球を遊技球発射装置へ導く球出口開放位置とに選択的に変位可能な球送り部材１０１を有し、球送り部材１０１が球出口閉鎖位置に位置し、かつ球抜き部材９０が連通口開放位置に位置するときに、球供給通路８１の終端部に達した遊技球がスムーズに球抜き通路８２へ導かれるようになっている。【選択図】  図８
2006141501.tif 000002
【特許請求の範囲】
【請求項１】
所定の遊技領域が設けられた遊技盤と、前記遊技盤を収容保持する前枠と、前記前枠の表面側に配設されて遊技球を貯留する球皿と、前記前枠における前記球皿の裏面側に設けられ前記球皿に貯留された遊技球を前記遊技領域に向けて発射する遊技球発射装置とを備え、前記球皿に貯留された遊技球が１球ずつ前記遊技球発射装置に供給されるように構成された弾球遊技機の整流装置において、
前記球皿に繋がって設けられ前記球皿から下流側へ向かうにつれて下方へ連続的に傾斜する傾斜通路を備え、
前記傾斜通路は、前記傾斜通路の上流側に設けられ前記球皿に貯留された遊技球を整列して流下させる球供給通路と、前記傾斜通路の下流側に設けられ前記球供給通路の終端部に達した遊技球を前記弾球遊技機の外部へ導くことが可能な球抜き通路と、前記球供給通路の終端部下流側に設けられ前記球供給通路と前記球抜き通路とを連通する連通口と、前記球供給通路の終端底部に設けられ前記遊技球発射装置に繋がる球出口とを有して構成されており、
前記連通口を閉鎖する連通口閉鎖位置と、前記連通口を開放する連通口開放位置とに選択的に変位可能な球抜き部材と、
前記球抜き部材が前記連通口閉鎖位置に位置するときに、前記球供給通路の終端部に達した遊技球を前記球出口に通過させて１球ずつ前記遊技球発射装置に供給する遊技球供給装置とを備え、
前記遊技球供給装置は、前記球出口を閉鎖する球出口閉鎖位置と、前記球出口を開放して前記球供給通路の終端部に達した遊技球を１球ずつ前記遊技球発射装置へ導く球出口開放位置とに選択的に変位可能な球送り部材を有し、
前記球送り部材が前記球出口閉鎖位置に位置し、かつ前記球抜き部材が前記連通口開放位置に位置するときに、前記球供給通路の終端部に達した遊技球が前記球抜き通路へ導かれるように構成されることを特徴とする弾球遊技機の整流装置。
【請求項２】
前記球送り部材は、前記球送り部材の上部に設けられ、前記球送り部材が前記球出口閉鎖位置に位置するときに前記球出口を塞ぐとともに、前記球供給通路の終端部に達した遊技球を上面で受け止める球止め部と、
前記球送り部材の下部に設けられ、前記球送り部材が前記球出口開放位置に変位したときに前記球出口を通過した遊技球を１球だけ受け入れて保持し、前記球出口開放位置から前記球出口閉鎖位置に変位したときに前記保持した遊技球を前記遊技球発射装置へ送り出す球受け部とを有し、
前記球送り部材が前記遊技球発射装置の発射動作に応じて前記球出口閉鎖位置と前記球出口開放位置とに交互に変位することで、遊技球が１球ずつ前記遊技球発射装置に供給されるように構成されることを特徴とする請求項１に記載の弾球遊技機の整流装置。
【発明の詳細な説明】
【技術分野】
【０００１】
本発明は、パチンコ機に代表される弾球遊技機の整流装置に関し、さらに詳しくは、整流装置を介して球皿に貯留された遊技球を外部へ抜き出すための構造に関する。
【背景技術】
【０００２】
弾球遊技機の代表例であるパチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、遊技球発射装置により遊技領域上部に導いた遊技球を落下させる過程で遊技領域内に設けた入賞具に入賞させる遊技を行うように構成されている。
【０００３】
前枠の表面側には遊技球を貯留するための上球皿（打球供給皿）および下球皿（下部貯留皿）が設けられ、上球皿に貯留された遊技球が裏面側に設けられた整流装置（打球供給装置）に導かれて１球ずつ遊技球発射装置に供給されるようになっている。一方、上球皿の底部には球抜孔が設けられるとともに、該球抜孔にスライド板が配設されており、該スライド板を移動させて球抜孔を開放することにより上球皿のパチンコ球を下球皿に抜き取ることができるようになっている。
【０００４】
ところが、上述のようなパチンコ機においては、上球皿に貯留された遊技球を底部の球抜孔から直接に下球皿へ抜き出すようにしているため、整流装置内の遊技球は抜き取られないでそのまま残されてしまうという問題があった。そのため、整流装置内に残された遊技球を抜き取るためには、例えば、その残された遊技球を弱い弾発力で発射してファール口から下球皿に戻して回収する等、遊技者に面倒な操作を行わせる必要があった。そこで、上球皿に貯留された遊技球を下球皿へ抜き出す際に遊技球が整流装置内に残らないようにしたパチンコ機（例えば、特許文献１〜３を参照）が種々考案されている。
【０００５】
例えば、特許文献１に記載のパチンコ機には、上球皿（打球供給皿）の遊技球を整列し流下させる供給通路部の終端と整流装置（打球供給装置）との間に、下球皿（下部貯留皿）に繋がる球抜通路部と連通する球抜口が設けられ、該球抜口には、常に付勢されて球抜口を閉じる位置と球抜き操作によって球抜口を開放する位置とに往復移動自在な可動底板が設けられており、整流装置（打球供給装置）に、遊技球発射装置（打球杆）の発射動作に関連して上下に回動することで遊技球を１球ずつ遊技球発射装置に供給する供給制御部材を設け、供給制御部材の球止部の上面を球抜口に向けて傾斜させた構成のものが開示されている。このようにすれば、上球皿（打球供給皿）に貯留された遊技球を整流装置（打球供給装置）内に残すことなく下球皿（下部貯留皿）へ抜き出すことができる。
【特許文献１】特許第３０４６７５３号公報
【特許文献２】特許第２９１１８１２号公報
【特許文献３】特開平９−９９１３６号公報
【発明の開示】
【発明が解決しようとする課題】
【０００６】
しかしながら、上述した例のパチンコ機では、球抜通路部の延設方向（傾斜方向）が供給通路部の延設方向（傾斜方向）に対しほぼ逆であるため、球抜き操作時に遊技球の流下がスムーズに行われないおそれがあった。
【０００７】
本発明は、このような問題に鑑みて成されたものであり、球皿に貯留された遊技球を整流装置内に残すことなくスムーズに外部へ抜き出すことができる弾球遊技機の整流装置を提供することを目的とする。
【課題を解決するための手段】
【０００８】
このような目的達成のため、本発明では、所定の遊技領域が設けられた遊技盤と、遊技盤を収容保持する前枠と、前枠の表面側に配設されて遊技球を貯留する球皿（例えば、実施形態における上球皿３０）と、前枠における球皿の裏面側に設けられ球皿に貯留された遊技球を遊技領域に向けて発射する遊技球発射装置とを備え、球皿に貯留された遊技球が１球ずつ遊技球発射装置に供給されるように構成された弾球遊技機（例えば、実施形態におけるパチンコ機ＰＭ）の整流装置において、球皿に繋がって設けられ球皿から下流側へ向かうにつれて下方へ連続的に傾斜する傾斜通路を備え、傾斜通路は、傾斜通路の上流側に設けられ球皿に貯留された遊技球を整列して流下させる球供給通路と、傾斜通路の下流側に設けられ球供給通路の終端部に達した遊技球を弾球遊技機の外部へ導くことが可能な球抜き通路と、球供給通路の終端部下流側に設けられ球供給通路と球抜き通路とを連通する連通口と、球供給通路の終端底部に設けられ遊技球発射装置に繋がる球出口とを有して構成されている。
【０００９】
そしてさらに、連通口を閉鎖する連通口閉鎖位置と、連通口を開放する連通口開放位置とに選択的に変位可能な球抜き部材と、球抜き部材が連通口閉鎖位置に位置するときに、球供給通路の終端部に達した遊技球を球出口に通過させて１球ずつ遊技球発射装置に供給する遊技球供給装置とを備え、遊技球供給装置は、球出口を閉鎖する球出口閉鎖位置と、球出口を開放して球供給通路の終端部に達した遊技球を１球ずつ遊技球発射装置へ導く球出口開放位置とに選択的に変位可能な球送り部材を有し、球送り部材が球出口閉鎖位置に位置し、かつ球抜き部材が連通口開放位置に位置するときに、球供給通路の終端部に達した遊技球が球抜き通路へ導かれるように構成される。
【００１０】
また、上述の発明において、球送り部材は、球送り部材の上部に設けられ、球送り部材が球出口閉鎖位置に位置するときに球出口を塞ぐとともに、球供給通路の終端部に達した遊技球を上面で受け止める球止め部と、球送り部材の下部に設けられ、球送り部材が球出口開放位置に変位したときに球出口を通過した遊技球を１球だけ受け入れて保持し、球出口開放位置から球出口閉鎖位置に変位したときに保持した遊技球を遊技球発射装置へ送り出す球受け部とを有し、球送り部材が遊技球発射装置の発射動作に応じて球出口閉鎖位置と球出口開放位置とに交互に変位することで、遊技球が１球ずつ遊技球発射装置に供給されるように構成されることが好ましい。
【発明の効果】
【００１１】
本発明によれば、球皿から下流側へ向かうにつれて下方へ連続的に傾斜する傾斜通路に、傾斜通路の上流側に設けられ球皿に貯留された遊技球を整列して流下させる球供給通路と、傾斜通路の下流側に設けられ球供給通路の終端部に達した遊技球を弾球遊技機の外部へ導くことが可能な球抜き通路とが設けられるため、球抜き部材を連通口開放位置に位置させることで球供給通路の終端部に達した遊技球をスムーズに球抜き通路へ流下させることができることから、球皿に貯留された遊技球を整流装置内に残すことなくスムーズに外部へ抜き出すことができる。
【００１２】
また、球送り部材が遊技球発射装置の発射動作に応じて球出口閉鎖位置と球出口開放位置とに交互に変位することで、遊技球が１球ずつ遊技球発射装置に供給されるように構成されていれば、簡便な構成で遊技球を１球ずつ遊技球発射装置に供給することができる。
【発明を実施するための最良の形態】
【００１３】
以下、本発明の好ましい実施形態について図面を参照しながら説明する。本発明に係る整流装置を備えた弾球遊技機の代表例としてパチンコ機ＰＭを図１〜図３に示しており、まず、これらの図面を参照しながらパチンコ機ＰＭの全体構成について要約説明する。ここで、図１はパチンコ機ＰＭを正面側から見た斜視図、図２はパチンコ機ＰＭのガラス扉および上球皿を開放して示す斜視図、そして図３はパチンコ機ＰＭを背面側から見た斜視図である。
【００１４】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構３ａ，３ｂにより前方に横開き開閉及び着脱が可能に取り付けられ、正面右側に設けられたダブル錠と称される施錠装置４を利用して常には外枠１と係合連結された閉止状態に保持される。
【００１５】
前枠２の前面（表面）上部側には、透明アクリル板やガラス板を有したガラス扉５が左端部のヒンジ（図示せず）を介して横開きおよび着脱が自在に取り付けられ、施錠装置４により常には前枠２の前面を覆う閉止状態に保持される。ガラス扉５の背後に位置する前枠上部には、遊技盤１０を着脱自在に収容する収容枠（図示せず）が設けられており、この収容枠に立設姿勢で係止保持された遊技盤１０がガラス扉５を通して視認されるようになっている。また、前枠２の前面上部における左右には、スピーカ２１がそれぞれ配設されている。
【００１６】
遊技盤１０は、所定板厚の積層合板の表面にセルを貼り付けてルーター加工した化粧板を基板とし、円弧状のレール１１等に囲まれて略円形状の遊技領域ＰＡが形成されている。遊技領域ＰＡには、多数本の遊技釘や風車（図示せず）とともに各種入賞装置（図示せず）等の遊技構成部品が取り付けられ、下端部にアウト口１２が設けられている。
【００１７】
前枠２の前面（表面）における上記ガラス扉５の下側には、上球皿３０が左端のヒンジ機構２２（図４を参照）により横開きおよび着脱可能に取り付けられ、常には右側に設けられたロック機構２３（図４を参照）によりガラス扉５の下側において前枠２の前面を覆った状態で係止保持されている。また、図２に示すように、上球皿３０に前面側が覆われた前枠２の下部領域には遊技補助盤２５と称される補助機構部が形成されており、この遊技補助盤２５には、遊技盤１０の遊技領域ＰＡ内に遊技球を発射する遊技球発射装置２６や、遊技球発射装置２６から発射された遊技球を遊技盤１０に案内する発射レール（図示せず）、後述する球払出装置４２から払い出された遊技球（賞球）が排出される通出口２７等が設けられている。
【００１８】
上球皿３０は、遊技補助盤２５の前面（表面）を覆うように形成された当て板部３１と、当て板部３１の前方に突出して設けられ、遊技中に払い出された遊技球（賞球）を受容して貯留する球皿部３２とを有して構成され、さらに球皿部３２の右側（下流部）には球抜きレバー３３が取り付けられる。当て板部３１の裏面側には、図２に示すように、球皿部３２に貯留された遊技球（賞球）を１球ずつ遊技球発射装置２６（発射レール）に供給する整流装置５０が取り付けられている。当て板部３１の左上部には通出口２７と位置整合して通出樋３４が形成されており、通出口２７から排出される賞球が通出樋３４を通って球皿部３２に導かれるように構成されている。なお、図１に示すように、球皿部３２の底部は右方に向かうにつれて下方へ傾斜するように形成されており、球皿部３２に貯留された遊技球が重力の作用により整流装置５０へ導かれるようになっている。
【００１９】
前枠２の前面（表面）における上球皿３０の下側には、図１に示すように、下球皿７が前方に突出して設けられている。この下球皿７は、上球皿３０の球皿部３２に貯留された遊技球（賞球）がオーバーフローしたときや、遊技者が上球皿３０の球抜きレバー３３を操作して上球皿３０から遊技球を抜いたときに、前枠２側に形成された球皿通路２８および下球皿出口２９を介して送られてくる遊技球を受容して貯留するようになっている。また、下球皿７の右側には、遊技球の発射操作を行う発射ハンドル８が取り付けられている。
【００２０】
前枠２の背面（裏面）上部には、図３に示すように、外枠１の背面側における右上部内側の形状に合わせて逆Ｌ字形に形成された第１裏セット盤４０がヒンジ機構（図示せず）により横開き開閉および着脱可能に取り付けられ、常には前枠２の背面右上部を覆う閉鎖状態に保持される。第１裏セット盤４０には、遊技球を貯留するとともに貯留した遊技球を整列させて流下させる球貯留タンク４１、入賞状態等に基づいて遊技球を払い出す球払出装置４２、球払出装置４２から払い出された遊技球を上球皿３０に導く球払出通路４３等の遊技球の処理機構が設けられている。
【００２１】
前枠２の背面（裏面）下部には、前枠２の背面下部を覆う第２裏セット盤４５がヒンジ機構（図示せず）により横開き開閉および着脱可能に取り付けられ、常には前枠２の背面下部を覆う閉鎖状態に保持される。第２裏セット盤４５には、各制御装置および電子部品等に電力を供給する電源ユニット４６や、遊技球の払出作動を制御する球払出制御装置４７、パチンコ機ＰＭの作動を統括的に制御する主制御装置（図示せず）等が取り付けられており、これらが図示しないコネクタケーブルで接続されてパチンコ機ＰＭが作動可能に構成される。
【００２２】
パチンコ機ＰＭは、ガラス扉５、上球皿３０、第１および第２裏セット盤４０，４５等が閉鎖施錠された状態で遊技に供され、上球皿３０に遊技球を貯留させて発射ハンドル８を回動操作することにより遊技が開始される。発射ハンドル８が回動操作されると、上球皿３０に貯留された遊技球は、上球皿３０の裏面側に位置する遊技球発射装置２６により１球ずつ遊技領域ＰＡに打ち出され、パチンコゲームが展開される。
【００２３】
次に、整流装置５０について図４〜図１０を追加参照しながら説明する。ここで、図４は整流装置５０が取り付けられた上球皿３０を背面側から見た斜視図、図５は整流装置５０の背面斜視図、図６は整流装置５０の背面図、図７は整流装置５０の球抜き部材９０が連通口閉鎖位置に位置する状態を示す正面図、図８は整流装置５０の球抜き部材９０が連通口開放位置に位置する状態を示す正面図、図９は整流装置５０の球送り部材１０１が球出口閉鎖位置に位置する状態を示す側断面図、そして図１０は整流装置５０の球送り部材１０１が球出口開放位置に位置する状態を示す側断面図である。
【００２４】
整流装置５０は、図７および図８に示すように、開口部を有する箱形のケース部材６０と、ケース部材６０の開口部を覆うケース蓋部材７０とを主体に構成され、内部に傾斜通路８０が形成される。傾斜通路８０は、上球皿３０に繋がる上流側から下流側へ向かうにつれて下方へ連続的に（直線的に）傾斜するように形成され、傾斜通路８０の上流側に設けられ上球皿３０に貯留された遊技球を整列して流下させる球供給通路８１と、傾斜通路８０の下流側に設けられ球供給通路８１の終端部に達した遊技球を下球皿７（すなわち、パチンコ機ＰＭの外部）へ導くことが可能な球抜き通路８２とを主体に構成される。
【００２５】
球供給通路８１の終端部下流側には、球抜き通路８２に繋がる連通口８３が略鉛直方向に延びて形成されており、この連通口８３を介して球供給通路８１と球抜き通路８２とが連通するようになっている。球供給通路８１の終端底部には球出口８４が形成されており、球供給通路８１の終端部に達した遊技球がこの球出口８４を通過して後述する遊技球供給装置１００に導かれるようになっている。また、球供給通路８１における連通口８３に対向して、壁部８５が略鉛直方向に延びるように形成されている。
【００２６】
ところで、ケース部材６０は、ポリカーボネート（ＰＣ）やポリアセタール樹脂（ＰＯＭ）等の樹脂材料を用いて、射出成形等の成形手段により前面側に開口部を有する箱形に一体的に成形され、各通路を構成する壁部等が所定の位置に形成されている。図５および図６に示すように、ケース部材６０の中央下部裏面側には送り出し口６１が形成されており、連通口８３を通過した遊技球が遊技球供給装置１００によりこの送り出し口６１から遊技球発射装置２６（発射レール）へ送り出されるようになっている。図７および図８に示すように、ケース部材６０の左側部下端には、球抜き通路８２の終端部に繋がる排出口６２が形成されており、球抜き通路８２の終端部に達した遊技球がこの排出口６２から整流装置５０の左方に位置する球皿通路２８（図４および図５を参照）へ排出されるようになっている。
【００２７】
また、ケース蓋部材７０は、図７および図８に示すように、ＡＢＳ樹脂等の透明樹脂材料を用いて、射出成形等の成形手段によりケース部材６０の開口部に合わせた板状に一体的に成形され、ネジ５２等の固定手段を用いてケース部材６０の開口部に取り付けられる。ケース蓋部材７０の右上部には、球供給通路８１の上端部に繋がる球入口７１が形成されており、上球皿３０の右端に達した遊技球がこの球入口７１を通過して球供給通路８１を流下するようになっている。
【００２８】
ケース部材６０（整流装置５０）の内部における傾斜通路８０の左上方には、連通口８３を開閉可能な球抜き部材９０が取り付けられている。球抜き部材９０は、ポリアセタール樹脂（ＰＯＭ）等の樹脂材料を用いて、射出成形等の成形手段により鉤爪状に一体的に成形され、ケース部材６０に対し、連通口８３を閉鎖する連通口閉鎖位置（図７を参照）と、連通口８３を開放する連通口開放位置（図８を参照）とに選択的に揺動変位可能に取り付けられる。
【００２９】
球抜き部材９０の先端には蓋部９１が形成されており、図７に示すように、球抜き部材９０が連通口閉鎖位置に位置するときに連通口８３を塞ぎ、壁部８５に対向して略鉛直方向に延びる壁面を形成するようになっている。なお、球抜き通路８２の始端側天井部には、蓋部９１が通過可能な通過口８６が形成されている。球抜き部材９０の上側部には、連結アーム部９２が上方へ延びるように形成されており、先端がケース部材６０（整流装置５０）の上方（外方）へ突出するようになっている。なお、ケース部材６０の天井部左側には、連結アーム部９２が通過可能なアーム逃げ部６３が左右に延びて形成されている。
【００３０】
ケース部材６０の内部における連結アーム部９２の側部には、ピン形状の第１バネ取付部（図示せず）が形成されており、第１付勢バネ９５の一端が取り付けられるようになっている。第１付勢バネ９５は、引っ張りコイルバネであり、一端が前述の第１バネ取付部に取り付けられるとともに、他端がケース部材６０に形成されたピン形状の第２バネ取付部６４に取り付けられるようになっている。そして、この第１付勢バネ９５の付勢力により、図７に示すように、球抜き部材９０が常には連通口閉鎖位置に付勢されるようになっている。
【００３１】
連結アーム部９２の先端側にはピン部９４が形成されており、上球皿６の当て板部３１に取り付けられたスライド部材５５（図５を参照）が当接するようになっている。スライド部材５５は、図５に示すように、樹脂材料を用いて左右に延びる角棒形に形成され、当て板部３１の裏面側における整流装置５０の上方に左右へスライド移動自在に取り付けられる。スライド部材５５の先端側部には板状のアーム当接部５６が形成されており、スライド部材５５が左方（図５における右方）へスライド移動したときに連結アーム部９２のピン部９４に当接するようになっている。
【００３２】
スライド部材５５の中央部近傍にはピン形のアーム係合部５７が形成されており、揺動アーム３５の下部に形成された係合穴３６に相対回転自在に係合するようになっている。揺動アーム３５は、上部が当て板部３１の裏面側に枢結されるとともに球抜きレバー３３と連結されるようになっており、球抜きレバー３３の押し操作（揺動操作）に連動して、揺動アーム３５の下部が左右方向へ揺動するように構成されている。そして、揺動アーム３５と係合穴３６およびアーム係合部５７を介して連結されたスライド部材５５は、揺動アーム３５の下部が左右へ揺動するのに連動して、左右へスライド移動するようになっている。なお、当て板部３１の裏面側における揺動アーム３５の左方（図５における右方）には、揺動アーム３５の左方への揺動を規制する揺動ストッパ３７が形成されている。
【００３３】
スライド部材５５の基端側にはピン形状の第３バネ取付部５８が形成されており、第２付勢バネ５９の一端が取り付けられるようになっている。第２付勢バネ５９は、引っ張りコイルバネであり、一端が前述の第３バネ取付部５８に取り付けられるとともに、他端が当て板部３１の裏面側に形成されたフック形状の第４バネ取付部３８に取り付けられるようになっている。そして、この第２付勢バネ５９の付勢力により、図５に示すように、スライド部材５５が常には右方（図５における左方）に付勢されるようになっている。
【００３４】
さて、図７および図８に示すように、ケース部材６０（整流装置５０）の内部における傾斜通路８０の右下方には、球供給通路８１の終端部に達した遊技球を球出口８４に通過させて１球ずつ遊技球発射装置２６（発射レール）に供給する遊技球供給装置１００が配設されている。遊技球供給装置１００は、球出口８４の下方に設けられた球送り部材１０１と、球送り部材１０１と連結されたフラッパ１１０と、フラッパ１１０を上下に揺動させるフラッパソレノイド１１１とを有して構成される。
【００３５】
球送り部材１０１は、ポリアセタール樹脂（ＰＯＭ）等の樹脂材料を用いて、射出成形等の成形手段により側面視Ｌ字形に一体的に成形され、ケース部材６０に対し、球出口８４を閉鎖する球出口閉鎖位置（図９を参照）と、球出口８４を開放して球供給通路８１の終端部に達した遊技球を１球ずつ遊技球発射装置２６へ導く球出口開放位置（図１０を参照）とに選択的に揺動変位可能に取り付けられる。球送り部材１０１の左右側部には軸部１０２が形成されており、ケース部材６０の中央下部に形成された球送り部材取付部６５に軸部１０２が係合した状態で、球送り部材１０１がこの軸部１０２を揺動軸として前後方向へ揺動するようになっている。
【００３６】
図６に示すように、球送り部材１０１の右側部下方（図６における左側部下方）には、溝付き突起状のフラッパ連結部１０３が形成されており、このフラッパ連結部１０３にフラッパ１１０の左端部が係合することで、球送り部材１０１とフラッパ１１０とが連結されるようになっている。
【００３７】
球送り部材１０１の上部には球止め部１０４が形成されており、図９に示すように、球送り部材１０１が球出口閉鎖位置に位置するときに球出口８４を塞ぐとともに、球供給通路８１の終端部に達した遊技球を球止め部１０４の上面で受け止めるようになっている。また、図７および図８に示すように、球止め部１０４の上面は、傾斜通路８０の傾斜方向とほぼ同じ方向に傾斜する平面状に形成されており、さらに、球止め部１０４の上面における下流側端部が連通口８３の下端に滑らかに繋がるように構成されている。
【００３８】
図１０に示すように、球送り部材１０１の下部には球受け部１０５が形成されており、球送り部材１０１が球出口開放位置に変位したときに球出口８４を通過した遊技球を１球だけ受け入れて保持し、この状態で、球送り部材１０１が球出口開放位置から球出口閉鎖位置に変位したときに、保持した遊技球を送り出し口６１から遊技球発射装置２６（発射レール）へ送り出すようになっている。
【００３９】
フラッパ１１０は、図５に示すように、鉄等の磁性を有する金属材料を用いて板状に形成されており、球送り部材１０１の右方（図５における左方）に隣接してケース部材６０に対し上下方向へ揺動自在に取り付けられ、連結された球送り部材１０１と一体的に揺動するようになっている。フラッパソレノイド１１１は、フラッパ１１０の上方に位置してケース部材６０に取り付けられており、フラッパソレノイド１１１がオン作動すると、磁力によりフラッパ１１０がフラッパソレノイド１１１に引き寄せられ、図１０に示すように、フラッパ１１０とともに球送り部材１０１（球止め部１０４）が前方へ揺動して球出口開放位置に変位するようになっている。
【００４０】
また、球送り部材１０１の底部後方には金属製の重り部材１０９が取り付けられており、フラッパソレノイド１１１がオフ作動したときに、重力の作用により、図９に示すように、フラッパ１１０とともに球送り部材１０１（球止め部１０４）が後方へ揺動して球出口開放位置に変位するようになっている。これにより、フラッパソレノイド１１１がオン・オフ作動するのに伴って、球送り部材１０１が球出口開放位置と球出口閉鎖位置とに選択的に揺動変位するようになっている。なお、図６に示すように、ケース部材６０の底部右側（図６における左側）には、球送り部材１０１が球出口開放位置に位置したときにフラッパ１１０の揺動を規制する揺動ストッパ６６が形成されている。
【００４１】
また、図６〜図８に示すように、ケース部材６０の左端にはラッチ取付部６９が形成されており、ナイラッチ５１が取り付けられるようになっている。そして、図５に示すように、当て板部３１の裏面側に形成された整流装置取付部３９に整流装置５０を位置整合させた状態で、ラッチ取付部６９に取り付けられたナイラッチ５１を当て板部３１のラッチ係合穴（図示せず）に係合させることで、整流装置５０が上球皿３０（当て板部３１）の裏面側右方に着脱自在に取り付けられる。
【００４２】
このように構成されるパチンコ機ＰＭの整流装置５０において、球抜きレバー３３が操作されない場合、すなわち、通常の場合には、図５に示すように、第２付勢バネ５９の付勢力によりスライド部材５５が右方（図５における左方）にスライド移動するため、図７に示すように、第１付勢バネ９５の付勢力により球抜き部材９０が連通口閉鎖位置に（右方に）揺動変位する。また、発射ハンドル８が回動操作されない場合には、遊技球供給装置１００のフラッパソレノイド１１１がオフ作動しており、図７および図９に示すように、球送り部材１０１が重力の作用で球出口閉鎖位置に揺動変位するようになっている。
【００４３】
上述のように、発射ハンドル８および球抜きレバー３３が操作されない場合、すなわち、球送り部材１０１が球出口閉鎖位置に位置し、かつ球抜き部材９０が連通口閉鎖位置に位置するときには、上球皿３０に貯留された遊技球は、上球皿３０の右端から球入口７１を通過して球供給通路８１を流下し、図７および図９に示すように、球供給通路８１の終端部に達した遊技球が球抜き部材９０により球抜き通路８２への流下が規制されつつ球止め部１０４の上面で受け止められる。
【００４４】
この状態で、発射ハンドル８が回動操作されると、遊技球供給装置１００により球供給通路８１の終端部に達した遊技球が球出口８４および送り出し口６１を通過して１球ずつ遊技球発射装置２６（発射レール）に供給され、遊技球発射装置２６が供給された遊技球を１球ずつ遊技領域ＰＡに向けて打球発射する。遊技球供給装置１００により球供給通路８１の終端部に達した遊技球を１球ずつ遊技球発射装置２６に供給するには、遊技球が球止め部１０４の上面で受け止められた状態で、フラッパソレノイド１１１をオン作動させたのち、所定時間後に再びフラッパソレノイド１１１をオフ作動させる。
【００４５】
このとき、まず、フラッパソレノイド１１１のオン作動により、フラッパ１１０が磁力によりフラッパソレノイド１１１に引き寄せられ、球出口閉鎖位置に位置する球送り部材１０１がフラッパ１１０とともに前方へ揺動して球出口開放位置に変位するため、図１０に示すように、球止め部１０４の上面で受け止められていた遊技球は球出口８４を通過し、球受け部１０５が球出口８４を通過した遊技球を１球だけ受け入れて保持する。この状態で、フラッパソレノイド１１１が再びオフ作動すると、球送り部材１０１が球出口開放位置から球出口閉鎖位置に揺動変位し、図９に示すように、球受け部１０５に保持された遊技球が送り出し口６１から遊技球発射装置２６（発射レール）へ送り出される。
【００４６】
このようにして、遊技球供給装置１００により球供給通路８１の終端部に達した遊技球が１球ずつ遊技球発射装置２６に供給される。そして、遊技球発射装置２６の発射動作毎にフラッパソレノイド１１１をオン・オフ作動させ、球送り部材１０１を球出口開放位置と球出口閉鎖位置とに交互に変位させることで、遊技球発射装置２６が発射動作を行う毎に、球供給通路８１の終端部に達した遊技球が１球ずつ連続的に遊技球発射装置２６へ供給される。これにより、簡便な構成で遊技球を１球ずつ遊技球発射装置２６に供給することができる。
【００４７】
なおこのとき、球止め部１０４の上面で受け止められた遊技球に隣接する（１個前の）遊技球は、球送り部材１０１が球出口開放位置に位置すると、図１０に示すように、球受け部１０５に保持された遊技球の上方に隣接する形で球供給通路８１の終端部に達し、球送り部材１０１が球出口閉鎖位置に戻るときに球止め部１０４の上面で受け止められるようになっている。
【００４８】
またこのとき、すなわち、球送り部材１０１が球出口開放位置に位置し、かつ球抜き部材９０が連通口閉鎖位置に位置するときに、球供給通路８１の終端部に達した遊技球は、図７に示すように、球抜き部材９０の蓋部９１と（蓋部９１と対向する）壁部８５とに側方をガイドされた状態で球出口８４を通過するようになっている。これにより、球抜き部材９０が連通口閉鎖位置に位置するときに球供給通路８１の終端部に達した遊技球をスムーズに球出口８４へ導くことができる。
【００４９】
一方、球抜きレバー３３を操作して上球皿３０に貯留された遊技球を下球皿７へ抜き出す場合には、球抜きレバー３３の押し操作（揺動操作）に伴って揺動アーム３５の下部が左方（図５における右方）へ揺動し、揺動アーム３５と連結されたスライド部材５５が第２付勢バネ５９の付勢力に抗して左方へスライド移動する。このとき、スライド部材５５のアーム当接部５６が球抜き部材９０の連結アーム部９２に形成されたピン部９４に当接するため、球抜き部材９０が第１付勢バネ９５の付勢力に抗して左方へ揺動し、図８に示すように、球抜き部材９０が連通口開放位置に揺動変位する。なお、発射ハンドル８が回動操作されない場合には、前述のように、球送り部材１０１が球出口閉鎖位置に揺動変位して、球止め部１０４が球出口８４を塞いでいる。
【００５０】
上述のように、発射ハンドル８が回動操作されない状態で球抜きレバー３３が操作された場合、すなわち、球送り部材１０１が球出口閉鎖位置に位置し、かつ球抜き部材９０が連通口開放位置に位置するときには、上球皿３０に貯留された遊技球は、上球皿３０の右端から球入口７１を通過して球供給通路８１を流下し、球供給通路８１の終端部に達した遊技球は開放状態にある連通口８３を通過して球抜き通路８２に達する。このとき、上流側から下流側へ向かうにつれて下方へ連続的に傾斜する傾斜通路８０に、傾斜通路８０の上流側に位置して球供給通路８１が設けられるとともに、傾斜通路８０の下流側に位置して球抜き通路８２が設けられているため、球抜き部材９０を連通口開放位置に位置させることで球供給通路８１の終端部に達した遊技球をスムーズに球抜き通路８２へ流下させることができる。そのため、上球皿３０に貯留された遊技球を整流装置５０内に残すことなくスムーズに下球皿７（すなわち、パチンコ機ＰＭの外部）へ抜き出すことができる。
【００５１】
またこのとき、球供給通路８１の終端部に達した遊技球は球止め部１０４の上面で受け止められるが、この球止め部１０４の上面は、傾斜通路８０の傾斜方向とほぼ同じ方向に傾斜しているため、球供給通路８１の終端部に達した遊技球をよりスムーズに球抜き通路８２へ流下させることができる。さらに、球止め部１０４の上面における下流側端部が連通口８３の下端に滑らかに繋がるように構成されているため、球供給通路８１の終端部に達した遊技球をさらにスムーズに球抜き通路８２へ流下させることができる。
【００５２】
そして、上述のように球抜き通路８２に達した遊技球は、スムーズに球抜き通路８２を流下して排出口６２から球皿通路２８に排出され、球皿通路２８（図５を参照）を流下したのち下球皿出口２９から下球皿７に排出される。このようにして、球抜きレバー３３を操作することで上球皿３０に貯留された遊技球を整流装置５０内に残すことなくスムーズに下球皿７（すなわち、パチンコ機ＰＭの外部）へ抜き出すことができる。
【００５３】
以上に説明した本発明の実施形態において、達成される主要な効果を整理すれば、下記のようになる。
【００５４】
第１に、上球皿３０に繋がる上流側から下流側へ向かうにつれて下方へ連続的に傾斜する傾斜通路８０に、傾斜通路８０の上流側に設けられ上球皿３０に貯留された遊技球を整列して流下させる球供給通路８１と、傾斜通路８０の下流側に設けられ球供給通路８１の終端部に達した遊技球を下球皿７（すなわち、パチンコ機ＰＭの外部）へ導くことが可能な球抜き通路８２とが設けられている。これにより、球抜き部材９０を連通口開放位置に位置させることで球供給通路８１の終端部に達した遊技球をスムーズに球抜き通路８２へ流下させることができることから、上球皿３０に貯留された遊技球を整流装置５０内に残すことなくスムーズに下球皿７（すなわち、パチンコ機ＰＭの外部）へ抜き出すことができる。
【００５５】
第２に、球止め部１０４の上面が傾斜通路８０の傾斜方向とほぼ同じ方向に傾斜しているため、球抜き部材９０が連通口開放位置に位置するときに、球供給通路８１の終端部に達した遊技球をよりスムーズに球抜き通路８２へ流下させることができる。
【００５６】
第３に、球止め部１０４の上面における下流側端部が連通口８３の下端に滑らかに繋がるように構成されているため、球抜き部材９０が連通口開放位置に位置するときに、球供給通路８１の終端部に達した遊技球をさらにスムーズに球抜き通路８２へ流下させることができる。
【００５７】
第４に、遊技球供給装置１００の球送り部材１０１が遊技球発射装置２６の発射動作に応じて球出口閉鎖位置と球出口開放位置とに交互に変位することで、遊技球が１球ずつ遊技球発射装置２６に供給されるように構成されていれるため、簡便な構成で遊技球を１球ずつ遊技球発射装置２６に供給することができる。
【００５８】
第５に、球送り部材１０１が球出口開放位置に位置し、かつ球抜き部材９０が連通口閉鎖位置に位置するときに、球供給通路８１の終端部に達した遊技球が蓋部９１と壁部８５とに側方をガイドされた状態で球出口８４を通過するように構成されるため、球抜き部材９０が連通口閉鎖位置に位置するときに球供給通路８１の終端部に達した遊技球をスムーズに球出口８４へ導くことができる。
【００５９】
なお、上述の実施形態において、球抜き部材９０が連通口閉鎖位置と連通口開放位置とに揺動変位可能に構成されているが、これに限られるものではなく、例えば、連通口閉鎖位置と連通口開放位置とに上下にスライド変位可能に構成されてもよい。
【００６０】
また、上述の実施形態において、本発明に係る整流装置５０がパチンコ機ＰＭに設けられているが、これに限られるものではなく、例えば、アレンジボール機や雀球遊技機等の弾球遊技機に設けられてもよい。
【００６１】
さらに、上述の実施形態において、パチンコ機ＰＭが上球皿３０および下球皿７を備えて構成されているが、これに限られるものではなく、例えば、遊技球を貯留する球皿が一つだけ設けられたパチンコ機にも本発明を適用することができる。なおこのとき、球皿に貯留された遊技球は整流装置を介してパチンコ機の外部（例えば、球皿の下方）へ抜き出される。
【図面の簡単な説明】
【００６２】
【図１】本発明に係る整流装置を備えたパチンコ機を正面側から見た斜視図である。
【図２】上記パチンコ機のガラス扉および上球皿を開放して示す斜視図である。
【図３】上記パチンコ機を背面側から見た斜視図である。
【図４】整流装置が取り付けられた上球皿を背面側から見た斜視図である。
【図５】整流装置の背面斜視図である。
【図６】整流装置の背面図である。
【図７】整流装置の球抜き部材が連通口閉鎖位置に位置する状態を示す正面図である。
【図８】整流装置５０の球抜き部材が連通口開放位置に位置する状態を示す正面図である。
【図９】整流装置の球送り部材が球出口閉鎖位置に位置する状態を示す側断面図である。
【図１０】整流装置の球送り部材が球出口開放位置に位置する状態を示す側断面図である。
【符号の説明】
【００６３】
ＰＭ  パチンコ機（弾球遊技機）
ＰＡ  遊技領域
１  外枠
２  前枠
７  下球皿
１０  遊技盤
２６  遊技球発射装置
３０  上球皿（球皿）
５０  整流装置
８０  傾斜通路
８１  球供給通路
８２  球抜き通路
８３  連通口
８４  球出口
８５  壁部
９０  球抜き部材
９１  蓋部
１００  遊技球供給装置
１０１  球送り部材
１０４  球止め部
１０５  球受け部
【図１】
2006141501.tif 000003
【図２】
2006141501.tif 000004
【図３】
2006141501.tif 000005
【図４】
2006141501.tif 000006
【図５】
2006141501.tif 000007
【図６】
2006141501.tif 000008
【図７】
2006141501.tif 000009
【図８】
2006141501.tif 000010
【図９】
2006141501.tif 000011
【図１０】
2006141501.tif 000012